(57)【特許請求の範囲】
【請求項１】
外周にセルフタップ式の螺子が形成された略円柱状の人工歯根であって、上記螺子の後端部において、上記人工歯根の軸方向に幅１ｍｍ〜２．５ｍｍにわたって後端側に向かって谷径が漸増するとともに、山径は略一定であり、上記螺子の最後端の螺子山高さが０．１ｍｍ以下であり、かつ上記螺子の後端部よりも先方側において、谷径が略一定であることを特徴とする人工歯根。
【発明の詳細な説明】
【０００１】
【発明の属する技術分野】
本発明は、人工歯根、特に即時荷重や早期荷重の機能を有する人工歯根に関するものである。
【０００２】
【従来の技術】
従来から、上記人工歯根として外周にセルフタップ式の螺子が形成された人工歯根が用いられている。
【０００３】
この人工歯根では、埋入当初から螺子山と顎骨が密着係合するので即時または早期に人工歯根を荷重下に置くことができ、患者に与える負担が小さいというメリットがある。
【０００４】
図４は、セルフタップ式の螺子が形成された従来の人工歯根３０の例を示す。
【０００５】
この人工歯根３０の螺子３１は、山径が不変であるが、谷径が先端側から後端側に向けて漸増するよう形成されている。また、最後端の螺子高さｈ１が２〜４ｍｍ程度と大きかった。
【０００６】
図４において、点線ｉは顎骨に形成する人工歯根挿入用穴ｉを示す。図４に示すように、この人工歯根挿入用穴ｉは、螺子３１の最先端部の谷径に近似する径をもつものとして形成されていた。
【０００７】
そして、上記人工歯根３０を人工歯根挿入用穴ｉ内にねじ込んでいくと、人工歯根３０に備える螺子３１の螺子谷が穴壁を非常に強く押圧し、特に上記人工歯根挿入用穴ｉの開口縁部では骨が外側に大きく押し拡げられる。
【０００８】
【発明が解決しようとする課題】
しかしながら、上記セルフタップ式の螺子３１を備えた従来の人工歯根３０では、人工歯根３０に備える螺子３１の螺子谷が人工歯根挿入用穴ｉの開口縁部の穴壁を外側に大きく押し拡げるので、骨折の恐れがあった。
【０００９】
また、この人工歯根３０によれば、人工歯根３０を人工歯根挿入用穴ｉに螺入した際に、人工歯根挿入用穴ｉの開口縁において、骨側に形成された螺子溝と人工歯根との間に隙間が残る。これは、最後端の螺子高さｈ１が２〜４ｍｍ程度と大きかったためである。そして、その隙間から細菌感染の恐れがあった。
【００１０】
また、上記人工歯根３０によれば、人工歯根３０に備える螺子３１の螺子谷が人工歯根挿入用穴ｉの穴壁を非常に強く押圧するので、ねじ込みの際のトルクが非常に大きい。これは、術者にとって非常に煩わしいことであった。
【００１１】
このような従来技術の課題に鑑み、本発明では骨折の恐れがなく、細菌感染を防止し、かつ、ねじ込み時のトルクが小さい人工歯根を提供することを目的とする。
【００１２】
【課題を解決するための手段】
上記課題を解決するため、本発明の人工歯根は、外周にセルフタップ式の螺子が形成された略円柱状の人工歯根であって、上記螺子の後端部において、上記人工歯根の軸方向に幅１ｍｍ〜２．５ｍｍにわたって後端側に向かって谷径が漸増するとともに、山径は略一定であり、上記螺子の最後端の螺子山高さが０．１ｍｍ以下であり、かつ上記螺子の後端部よりも先方側において、谷径が略一定であることを特徴とする。
【００１３】
かかる構造の人工歯根によれば、螺子の後端部は後端側に向かって谷径が漸増するので、顎骨の人工歯根挿入穴の穴壁と人工歯根とが密着する。さらに、最後端の螺子山高さを０．１ｍｍ以下とすることにより、人工歯根挿入用穴の開口に面した螺子溝が骨の変形で消失する。これらの作用により、人工歯根挿入用穴の開口縁が人工歯根により完全にシーリングされる。したがって、細菌感染の恐れがない。
【００１４】
谷径が後端方向にむかって漸増するこの後端部は、軸方向の幅１ｍｍ〜２．５ｍｍの領域で形成される。この幅は、人工歯根を挿入する歯槽骨のうち皮質骨の幅に相当する。皮質骨は海綿骨に比べて硬質であり、皮質骨を人工歯根の螺子谷が押圧することにより、皮質骨によって人工歯根が強固に支持される。
【００１５】
また、上記本発明の人工歯根は、上記螺子の後端部よりも先方側の螺子の谷径を略一定としたので、上記従来の人工歯根と比べて人工歯根挿入用穴の開口縁部を押し付ける力が比較的小さい。したがって、骨折の恐れがない。
【００１６】
さらに、上記螺子の後端部よりも先方側の螺子は谷径が略一定であるので、人工歯根を顎骨の人工歯根用挿入穴にねじ込むにあたって、螺子の後端部を挿入する最後の締め付けのとき以外、大きなトルクがかからず、比較的容易に装着可能である。
【００１７】
【発明の実施の形態】
以下、本発明の実施形態例を図によって説明する。
【００１８】
図１〜図３は本実施形態の人工歯根を示す。この人工歯根１は略円柱状をなし、その外周にセルフタップ式の螺子２が形成されている。
【００１９】
上記人工歯根１の材質としては、Ｔｉ−６Ａｌ−４Ｖ合金、純チタンなどの生体に安全な金属材が用いられる。また、その表面には陽極酸化、ハイドロキシアパタイト溶射、サンドブラスト、チタン溶射等の表面と骨との親和性を高める処理を施すことが好ましい。
【００２０】
なお、この人工歯根１は１回法用のものである。上記螺子２が形成された部分およびその先方部分が骨内埋入部分３であり、この骨内埋入部分３よりも後端側は歯肉と当接するアバットメント４となっている。このアバットメント４は上記骨内埋入部分３よりも大径となっている。
【００２１】
また、上記螺子２は、先端部２ａおよび中央部２ｂは谷径が略一定である。したがって上記人工歯根１は、上記従来の人工歯根と比べて人工歯根挿入用穴の開口縁部を押し付ける力が比較的小さい。したがって、骨折の恐れがない。
【００２２】
また、上記螺子の後端部よりも先方側の螺子は谷径が略一定なので、人工歯根１を顎骨の人工歯根挿入用穴にねじ込むにあたって、大きなトルクがかからず、比較的容易に装着可能である。
【００２３】
これに対して、上記螺子２の後端部２ｃは上記アバットメント４（後端側）に向かって谷径が漸増する。
【００２４】
なお、図２に示すように、上記螺子２の後端部２ｃにおいて、螺子谷のフレア角度（末広がり角）αは、５°〜１５°に設定されている。
【００２５】
また、最後端の螺子山高さｈは０．１ｍｍ以下に設定されている。
【００２６】
このように螺子２の後端部２ｃは後端側に向かって谷径が漸増するので、顎骨の人工歯根挿入用穴の穴壁と人工歯根１とが密着する。さらに、最後端の螺子山高さｈを０．１ｍｍ以下とすることにより、人工歯根挿入穴の開口に面した螺子溝が骨の変形で消失する。
【００２７】
これらの作用により、人工歯根挿入用穴の開口縁が人工歯根１により完全にシーリングされる。したがって、細菌感染の恐れがない。
【００２８】
なお、上記フレア角度αが５°未満の場合、上記シーリング効果が不十分となる恐れがある。これに対して、フレア角度αが１５°を超える場合、人工歯根１を顎骨の人工歯根挿入用穴に螺入する際の最終段階で非常に大きなトルクが発生し、骨折の恐れや、骨吸収の恐れがある。
【００２９】
谷径が後端方向にむかって漸増するこの後端部２ｃは、軸方向の幅１ｍｍ〜２．５ｍｍの領域で形成される。この幅は、人工歯根１を挿入する歯槽骨のうち皮質骨の幅に相当する。皮質骨は海綿骨に比べて硬質であり、皮質骨を人工歯根１に備える螺子２の螺子谷が押圧することにより、皮質骨によって人工歯根１が強固に支持される。
【００３０】
次に、図３は上記螺子２の垂直断面形状を示す拡大図である。
【００３１】
図３に示すように、螺子２の螺子山２０は、螺子谷２２と螺子頂面２３とに連なる先端側面２１がＲ曲面となっている。
【００３２】
この先端側面２１は、骨内で荷重を受ける面であるが、Ｒ曲面であることにより応力が分散し、上記螺子頂面２３の角縁２４が骨に与える荷重を軽減することにより、応力集中およびこれにより誘起される骨吸収を効果的に防止することができる。
【００３３】
さらに、螺子山２０のこのような構成により、骨吸収を効果的に防止することで、特に、皮質骨による螺子山２０の支持固定力が大きくなり、人工歯根１の沈み込みがなくなる。
【００３４】
人工歯根１に沈み込みが発生した場合には、たとえ皮質骨と人工歯根１との間に当初はシーリングが得られていても、次第に人工歯根１が動揺し始め、骨吸収を引き起こしてしまう。そして、骨吸収が発生すると、人工歯根１との間に隙間が生じることとなるので細菌感染の恐れが出てしまう。
【００３５】
これに対して、螺子山２０の先端側面２１をＲ曲面とすると、骨吸収を起こし難くすることができるので、前記シーリング作用を補強することができる。
【００３６】
以上、本発明の実施形態を例示したが、本発明はこれら実施形態に限定されるものではなく、発明の目的を逸脱しない限り任意の形態とすることができることは言うまでもない。
【００３７】
例えば、上記実施形態では１回法用の人工歯根１を説明したが、本発明の人工歯根は２回法用のものであってもかまわない。
【００３８】
【発明の効果】
以上のように、本発明の人工歯根によれば、骨折の恐れがなく、細菌感染を防止できるので長期的に安全な人工歯根の使用が可能である。
【００３９】
また、人工歯根を顎骨の人工歯根挿入用穴にねじ込み際のトルクが小さいので、この作業が術者にとって煩わしいものではなくなる。
【図面の簡単な説明】
【図１】本発明の人工歯根の側面図である。
【図２】図１の人工歯根の部分拡大図である。
【図３】図１の人工歯根の部分拡大断面図である。
【図４】従来の人工歯根の側面図である。
【符号の説明】
１    人工歯根
２    螺子
２ａ  先端部分
２ｂ  中央部分
２ｃ  後端部分
３    骨内埋入部分
４    アバットメント
２０  螺子山
２１  先端側面
２２  螺子谷
２３  螺子頂面
α    フレア角度
ｈ    最後端の螺子山高さ
【図１】
0004771625.tif 000002
【図２】
0004771625.tif 000003
【図３】
0004771625.tif 000004
【図４】
0004771625.tif 000005